(57)【特許請求の範囲】
【請求項１】
相手端末と直接無線通信するローカル通信機能を有する携帯無線端末であって、
予め定められた特定操作が為された場合に乱数によって特定のコードを生成するまたはキー入力されたキー情報を特定のコードとする特定コード生成手段と、
前記特定コード生成手段が生成した特定コードを相手端末へ通知する特定コード通知手段と、
相手端末が生成した特定コードを受信する特定コード受信手段と、
自端末が生成した前記特定コードおよびまたは相手端末が生成した前記特定コードを含む特定呼出信号をローカル通信モードで間欠的に発信する特定呼出信号間欠発信手段と、
相手端末からの前記特定呼出信号を監視する特定呼出信号監視手段と、を有し、
前記特定呼出信号監視手段が当該相手端末からの特定呼出信号を検出した場合または自端末が発信した前記特定呼出信号に対する相手端末からの応答信号を検出した場合に、当該通信相手がローカル通信の可能なエリア内に存在している旨を表示することを特徴とする待ち合わせ支援機能付き携帯無線端末。
【請求項２】
請求項１に記載の携帯無線端末であって、
相手端末と音声を用いて通話を行う音声通話手段をさらに有し、
前記特定コード通知手段は、前記特定コードを通話中の前記音声に重畳して通知し、
前記特定コード受信手段は、音声に重畳された当該特定コードを抽出することを特徴とする待合せ支援機能付き携帯無線端末。
【請求項３】
請求項１または２に記載の携帯無線端末であって、
電子メールを授受する電子メール通信手段をさらに有し、
前記特定コード通知手段は、送信される電子メールに前記特定コードを付加して送信し、
前記特定コード受信手段は、受信した電子メールに付加された当該特定コードを抽出することを特徴とする待合せ支援機能付き携帯無線端末。
【請求項４】
請求項１乃至３の何れかに記載の携帯無線端末であって、
前記特定呼出信号監視手段は当該特定呼出信号を受信すると電波強度を計測する電波強度計測手段をさらに有し、
前記電波強度計測手段で計測した相手端末の電波強度が予め定められた値以上であった場合、より近傍に存在している旨を表示することを特徴とする待ち合わせ支援機能付き携帯無線端末。
【請求項５】
請求項３に記載の携帯無線端末であって、
前記特定コード生成手段は自端末のメールアドレスの一部またはすべてを特定コードとして生成することを特徴とする待合せ支援機能付き携帯無線端末。
【発明の詳細な説明】
【技術分野】
【０００１】
本発明は、個人間の待ち合わせを支援する機能を有する携帯無線端末に関する。
【背景技術】
【０００２】
従来、待ち合わせを行う場合、個人間で待ち合わせ場所、待ち合わせ時刻を通知し、当事者同士の相互視認によって行う。そのため、待ち合わせが駅などの人が混み合う場所や指定された待合せ場所が抽象的であった場合、相手が近くにいたとしても気が付かないといった問題があった。
【０００３】
この問題を解決する方法として、片方のユーザが特定のコード信号を発信する携帯用発信装置を有し、もう一方のユーザが、この発信装置からの電波を受信する受信装置を有し、特定のコードを識別して電波到来方向から相手の位置を特定する技術がある。（例えば、特許文献１）
【特許文献１】特開平２−２２６８２１号公報
【発明の開示】
【発明が解決しようとする課題】
【０００４】
しかしながら特許文献１では、両者で特定のコードを予め設定しておく必要があり、例えば初めて会う者同士の場合には、相手に特定のコードを通知しなければならないという問題がある。
【０００５】
本発明は上記事情に鑑みてなされたものであり、本発明は初めて会う者同士であっても携帯無線端末による待ち合わせ支援の設定を容易にすることを目的とする。
【課題を解決するための手段】
【０００６】
例えば、本発明は、相手端末と直接無線通信するローカル通信機能を有する携帯無線端末であって、予め定められた特定操作が為された場合に乱数によって特定のコードを生成するまたはキー入力されたキー情報を特定のコードとする特定コード生成手段と、前記特定コード生成手段が生成した特定コードを相手端末へ通知する特定コード通知手段と、相手端末が生成した特定コードを受信する特定コード受信手段と、自端末が生成した前記特定コードおよびまたは相手端末が生成した前記特定コードを含む特定呼出信号をローカル通信モードで間欠的に発信する特定呼出信号間欠発信手段と、相手端末からの前記特定呼出信号を監視する特定呼出信号監視手段と、を有し、前記特定呼出信号監視手段が当該相手端末からの特定呼出信号を検出した場合または自端末が発信した前記特定呼出信号に対する相手端末からの応答信号を検出した場合に、当該通信相手のローカル通信が可能なエリア内に存在している旨を表示することを特徴とする。
【発明の効果】
【０００７】
本発明によれば、初めて会う者同士であっても、簡単な操作で待合せに係る特定コードを互いに共有でき、柔軟な待ち合わせ支援端末を提供できる。
【発明を実施するための最良の形態】
【０００８】
以下に本発明の実施の形態について、図面を参照しながら説明する。なお、実質同一部位には同じ参照番号を付与し、説明は繰り返さない。
【０００９】
図１を用いて、先ず本発明のシステム構成について説明する。
【００１０】
本発明は、無線基地局３−１および無線基地局３−２に接続される本発明の携帯無線端末１−１、および携帯無線端末１−２（以下、相手端末１−２と呼称）から構成され、携帯無線端末１は無線携帯電話機であって、音声通話機能を具備している。また、携帯無線端末１は、互いにある一定の距離範囲内（例えば１００ｍ）に入ると端末間ローカル通信が可能となる。
【００１１】
ここでローカル通信とはトランシーバ、無線ＬＡＮ、ＺｉｇＢｅｅ、Ｂｌｕｅｔｏｏｔｈ、ページャ、などの通信形態を利用して、１対１のアドホック通信（以下、端末間ローカル通信）が可能な通信形態のものを意味する。
【００１２】
また、本発明の待合せ支援とは、待合せ支援の事前設定を行う待合せ設定と実際に待合せ支援を行う待合せサポートの２つの処理から構成される。
【００１３】
通話中に、待合せ場所を相手に通知し、携帯無線端末１−１が待合せ設定の操作が行われると、携帯無線端末１−１は自端末で待合せＩＤを生成し、生成した待合せＩＤをＤＴＭＦ（Ｄｕａｌ  Ｔｏｎｅ  Ｍｕｌｔｉ  Ｆｒｅｑｕｅｎｃｙ）変換し、通話中の音声に重畳させて相手端末１−２に送出する。待合せＩＤを受け取った相手端末１−２は、待合せＩＤを記憶して待合せ設定を終了する。
【００１４】
尚、ここで待合せＩＤとは携帯無線端末１−１と相手端末１−２において待合せサポートを行う場合に検索キーとして利用する共通ＩＤのことであり、前述した特定コードを意味する。
【００１５】
次に、待合せ場所に移動し、当該携帯無線端末１−１は、待合せサポート開始の操作が為されると、前記待合せＩＤを含むローカルビーコンの送信を開始するとともに、当該待合せＩＤのローカルビーコンの受信を待つ。相手端末１−２はローカルビーコンを受信すると、待合せＩＤを確認し、受信電波強度から相手との距離を表示する。そして相手が視認できる範囲に近づく（例えば３ｍ）と、これをさらに近傍に近づいたこと表示する。そしてユーザが待合せ終了操作を行うと待合せサポートを終了する。
【００１６】
次に図２を用いて、本発明の機能ブロックについて説明する。
【００１７】
携帯無線端末１は、端末制御部１０１、音声入出部１０２、マイク１０３、スピーカ１０４、表示制御部１０５、ディスプレイ１０６、キー入力部１０７、操作キー１０８、無線部１２１、対無線基地局通信制御部１２２、ローカル通信制御部１２３、アンテナ１２４、電波強度監視部１２５、待合せＩＤ設定部１４１、待合せ設定記憶部１４２、待合せＩＤ検出部１４３の各ブロックから構成される。
【００１８】
端末制御部１０１は、音声入出部１０２、表示制御部１０５、キー入出部１０７、待合せ設定記憶部１４２、待合せ設定部１４１、電波強度監視部１２５、ローカル通信制御部１２３、対無線基地局通信制御部１２２、待合せＩＤ検出部１４３、に接続し、携帯無線端末の処理全般を制御するとともに、接続する他のブロック部を制御する。
【００１９】
音声入出部１０２は、マイク１０３及びスピーカ１０４に接続し、音声制御全般を行うコーデックである。具体的には、通話時に、ローカル通信制御部１２３または対無線基地局通信制御部１２２から端末制御部１０１を介して音声データを受信すると、音声データをデコードし、スピーカ１０４に出力する。また、通話時に、にマイク１０３から音声の入力を検出すると、音声データにエンコードし、生成した音声データを端末制御部１０１を介してローカル通信制御部１２３または、対無線基地局通信制御部１２２に渡す。
【００２０】
表示制御部１０５はディスプレイ１０６と接続し、各ブロックから送られた表示データを端末制御部１０１を介して、ディスプレイ１０６に表示する。
【００２１】
キー入力部１０７は、操作キー１０８からユーザのキー操作を検出すると、キーデータを端末制御部１０１に渡す。
【００２２】
また、対無線基地局通信制御部１２２からデータを受け取ると、公衆の無線通信用の無線信号に変換してアンテナ部１２４を介して送出する。
【００２３】
尚、通話中に、対無線基地局通信制御部１２２からＤＴＭＦ変換された待合せデータが送られると通話の音声に重畳して送信する。
【００２４】
ここで待合せデータとは、待合せＩＤ等待合せ支援に係る、予め定められたダイヤル信号の羅列データを意味し、詳細については後述する。
【００２５】
無線部１２１は無線制御全般を処理する。
【００２６】
対無線基地局通信制御部１２２は、対無線基地局通信の制御をおこなう。また、端末制御部１０１から待合せデータとともに待合せデータの送信指示を受けると、渡された待合せデータをＤＴＭＦ信号に変換し無線部１２１に渡す。
【００２７】
ローカル通信制御部１２３は、ローカル通信の制御をおこなう。また、端末制御部１０１から待合せＩＤとともにローカルビーコンの送信指示を受けると、ローカルビーコンを生成し、無線部１２１と連携して、定期的なローカルビーコンの送信を開始する。
【００２８】
電波強度監視部１２５は、端末制御部１０１から監視の指示を受けると、無線部１２１を監視し、ローカル通信における無線信号の受信を監視し、待合せＩＤ設定部１４１、ローカル通信制御部１２３と連携して、携帯無線端末１からのローカルビーコンの無線信号を検出すると、検出したローカルビーコンに待合せＩＤが含まれているか検索し、待合せＩＤが含まれていた場合に、待合せＩＤを抽出し、受信した待合せＩＤの無線信号の電波強度を計測する。そして、待合せＩＤと計測した電波強度を端末制御部１０１に渡す。
【００２９】
待合せＩＤ設定部１４１は、端末制御部１０１から待合せＩＤ生成の指示をうけると乱数を用いて待合せＩＤを生成し、待合せ設定記憶部１４２に記憶する。
【００３０】
待合せ設定記憶部１４２は、待合せ設定で使用する各種待合せデータまたは待合せＩＤ設定部１４１で生成された待合せＩＤまたはローカル通信制御部１２３から渡された待合せＩＤを記憶する。
【００３１】
待合せＩＤ検出部１４３は、無線部１２１を介してローカル通信制御部１２３と対無線基地局通信制御部１２２に送られる待合せデータを監視する。そして、待合せデータを検出すると検出した待合せＩＤを端末制御部１０１にデータを渡す。
【００３２】
次に図３のフローチャートを用いて通話中に本携帯無線端末の待合せ設定の処理について説明する。また、本フローは待合せ携帯無線端末１−１が相手端末１−２との通話が確立し、通話中の状態から開始される。
【００３３】
まず、端末制御部１０１はユーザからの待合せ設定開始の操作を検出したか（Ｓ３０１）もしくは、相手端末１−２から待合せ設定開始信号が受信するのを待つ（Ｓ３０６）。ユーザからの待合せ設定開始の操作があった場合（Ｓ３０１：ＹＥＳ）、相手端末１−２に、待合せ設定処理が開始されたことを通知する待合せ設定開始信号を送信する（Ｓ３０２）。
【００３４】
具体的には、キー入力部１０７が操作キー１０８からユーザの待合せ設定の開始操作を検出（例えば、“４８９”と操作キーを押下）すると、端末制御部１０１は待合せ設定記憶部１４２から待合せ設定開始信号のデータ（例えば“＃＊１２３”）を読み出し、対無線基地局通信制御部１２２に渡すと共に、待合せ設定開始信号の送信を指示する。指示を受けた対無線基地局通信制御部１２２は、無線部１２１と連携して、受け取った待合せ設定開始データをＤＴＭＦ変換し、待合せ設定開始信号として通話中の音声に重畳してアンテナ１２４を介して相手端末１−２に送出する。
【００３５】
尚、待合せ設定開始信号のデータとは、待合せデータの一種であり、予め定められＤＴＭＦ変換可能なダイヤルデータを意味する。尚、待合せ設定の開始操作は、予め通話中に割り当てられた操作キー（例えば携帯無線端末の“決定キー”）であってもよい。
【００３６】
そして、相手端末１−２から待合せ設定応答信号が受信するのを待つ（Ｓ３０３）。待合せ設定応答信号を受信すると（Ｓ３０３：Ｙｅｓ）、待合せＩＤを生成すると共に、自端末に記憶し（Ｓ３０４）、生成した待合せＩＤを相手端末１−２に送信する（Ｓ３０５）。相手端末１−２から待合せ設定応答信号を受信しない場合（Ｓ３０３：Ｎｏ）、Ｓ３０１に戻る。
【００３７】
具体的には、待合せＩＤ検出部１４３は対無線基地局通信制御部１２２を監視し、通話中の音声データにＤＴＭＦ変換された音声データを検出すると、当該データから待合せデータを抽出し、端末制御部１０１に渡す。渡された端末制御部１０１は、抽出した待合せデータを待合せ設定記憶部１４２に予め記憶された待合せデータと照合し、待合せ設定応答信号のデータが検出をされたことを認識する。そして、端末制御部１０１は待合せＩＤ設定部１４１に待合せＩＤの生成を指示する。指示を受けた待合せＩＤ設定部１４１は、乱数機能を用いて待合せＩＤ（例えば、“１＃２＊”など４桁の数字）を生成する。生成した待合せＩＤを待合せ設定記憶部１４２に記憶すると共に、端末制御部１０１に渡す。渡された端末制御部１０１は、待合せＩＤを対無線基地局通信制御部１２２に中継すると共に、待合せＩＤの送信を指示する。待合せＩＤの送信を指示された対無線基地局通信制御部１２２は、無線部１２１と連携して受け取った待合せＩＤをＤＴＭＦ変換し、待合せＩＤを通話中の音声に重畳してアンテナ１２４を介して相手端末１−２に送出する。
【００３８】
また、待合せ設定応答信号を受信しない場合とは、図示しないが待合せ設定開始信号を送信すると、予め定められたタイマ（例えば３０秒）を起動し、時間内に待合せ設定応答信号が受信できない場合を意味し、携帯無線端末１−１は、相手端末１−２が不許可と判断または相手端末１−２に待合せ設定機能を有していないと判断してＳ３０１に戻る。
【００３９】
次に相手端末１−２から待合せ設定開始信号を受信すると（Ｓ３０６：Ｙｅｓ）、ユーザの待合せ設定の許可操作を待つ（Ｓ３０７）。ここで、待合せ設定開始信号を受信した場合とは、相手端末１−２が先にＳ３０１で説明した待合せ設定の開始操作を行い、相手端末１０２から待合せ設定開始信号を受信したことを意味する。
【００４０】
具体的には、待合せＩＤ検出部１４３は対無線基地局通信制御部１２２を監視し、通話中の音声データにＤＴＭＦ変換された音声データを検出すると、当該データから待合せデータを抽出し、端末制御部１０１に渡す。渡された端末制御部１０１は、抽出した待合せデータを待合せ設定記憶部１４２に予め記憶された待合せデータと照合し、待合せ設定開始信号のデータが検出されたことを認識する。そして、端末制御部１０１は、表示制御部１０５に待合せ設定の表示を指示する。指示を受けた表示制御部１０５は、ディスプレイ１０６に相手端末１−２より待合せの要望があった旨を表示し、ユーザの操作を待つ。
【００４１】
次にユーザから待合せ設定の許可操作があった場合（Ｓ３０７：Ｙｅｓ）、待合せ設定開始信号に対する許可応答として、待合せ設定応答信号の送信を行う（Ｓ３０８）。ユーザから待合せ設定許可操作を検出できない場合は（Ｓ３０７：Ｎｏ）、Ｓ３０１に戻る。
【００４２】
具体的には、キー入力部１０７が操作キー１０８からユーザの待合せ設定の許可操作を検出する（例えば、“１１４”と操作キーを押下）と、端末制御部１０１は待合せ設定記憶部１４２から待合せ設定応答信号のデータ（例えば“＃＊４５６”）を読み出し、対無線基地局通信制御部１２２に渡すと共に、待合せ設定応答信号の送信を指示する。指示を受けた対無線基地局通信制御部１２２は、無線部１２１と連携して、受け取った待合せ設定応答信号のデータをＤＴＭＦ変換し、待合せ設定応答信号として通話中の音声に重畳してアンテナ１２４を介して相手端末１−２に送信する。尚、待合せ設定応答信号のデータとは、待合せデータの一種であり、予め定められＤＴＭＦ変換可能なダイヤルデータを意味する。尚、待合せ設定の許可操作は、予め待合せ設定開始信号受信時に割り当てられた操作キー（例えば携帯無線端末の“決定キー”）であってもよい。
【００４３】
また、Ｓ３０７で待合せ設定許可操作を検出できない場合とは、図示しないが待合せ設定開始信号を受信すると、予め定められたタイマ（例えば３０秒）を起動し、時間内にユーザからの待合せ設定許可操作が検出できない場合、待合せ支援機能がないまたは設定不許可と判断し、Ｓ３０１に戻る。
【００４４】
次に相手端末１−２からの待合せＩＤが受信するのを待つ（Ｓ３０９）。待合せＩＤを受信した場合（Ｓ３０９：Ｙｅｓ）、待合せＩＤを記憶し（Ｓ３１０）、Ｓ３１１に移行する。待合せＩＤを受信しない場合（Ｓ３０９：Ｎｏ）はＳ３０１に戻る。
【００４５】
具体的には、待合せＩＤ検出部１４３は対無線基地局通信制御部１２２を監視し、通話中の音声データにＤＴＭＦ変換された音声データを検出すると、当該データから待合せデータを抽出し、端末制御部１０１に渡す。渡された端末制御部１０１は、抽出した待合せデータを待合せ設定記憶部１４２に予め記憶された待合せデータと照合し、該当する待合せデータを検出できないのでこの待合せデータを待合せＩＤと認識する。そして端末制御部１０１は、検出した待合せＩＤを待合せ記憶部１４２に記憶する。
【００４６】
また、待合せＩＤを受信しない場合とは、図示しないが予め定められたタイマ（例えば５秒）を起動し、時間内に待合せＩＤを受信しないことを意味し、待合せＩＤを受信しない場合は、予め定められたタイマの間隔で待合せ設定応答信号の送出を繰り返し、ユーザによる解除操作、または通話が終了すると待合せ設定応答信号の送出は停止する。
【００４７】
さらに図４で説明する待合せサポート動作の自動開始を行うための待合せタイマの設定があるか判断する（Ｓ３１１）。待合せ設定がある場合は（Ｓ３１１：Ｙｅｓ）、待合せタイマを起動し（Ｓ３１２）、本フローを終了する。また、設定がない場合（Ｓ３１１：Ｎｏ）はそのまま、本フローを終了する。
【００４８】
具体的には、携帯無線端末１は図示しないが、時刻機能と連動する待合せタイマ機能を具備し、待合せ時刻の登録することができる。端末制御部１０１は、待合せタイマ機能に待合せ時刻が登録されているかを判断し、登録されていれば、待合せタイマの起動を指示し、待合せタイマ機能は動作を開始する。詳細については図４で後述する。尚、登録されていない場合はなにもしない。
【００４９】
次に、図４のフローチャートを用いて携帯無線端末１−１と相手端末１−２が待合せ設定を完了し、実際の待合せサポート動作の処理について説明する。
【００５０】
本フローは、携帯無線端末１−１と相手端末１−２が共に待合せＩＤを記憶し、待合せ設定が設定された状態から開始する。
【００５１】
まず、携帯無線端末１−１のユーザによって、相手存在確認操作を検出したか（Ｓ４０１）、または図３で、設定した待合せタイマの設定時刻になるのを待つ（Ｓ４０２）。
【００５２】
そして、相手存在確認操作を検出した場合（Ｓ４０１：Ｙｅｓ）、または設定した待合せタイマが設定時刻になると（Ｓ４０３：Ｙｅｓ）、待合せサポートが開始されたと判断し、端末制御部１０１は、待合せ設定記憶部１４２に記憶した待合せＩＤを読み出し、待合せＩＤを含むローカルビーコンを生成するとともにローカルビーコンの送信を開始する（Ｓ４０３）。
【００５３】
具体的には、キー入力部１０７が操作キー１０８からローカル通信を用いて相手端末１−２を探索するための相手存在確認操作を検出する（例えば、“３１４”と操作キーを押下）と、または図３で説明した起動中の待合せタイマが設定時刻になると、端末制御部１０１は、待合せ設定記憶部１４２から待合せＩＤを読み出し、ローカル通信制御部１２３に待合せＩＤを渡すとともにローカルビーコン送信開始を指示する。指示を受けたローカル通信制御部１２３は、受け取った待合せＩＤを含むビーコンを生成し、ローカルビーコンとして一定の送信タイミング（例えば５秒）で無線部１２１とアンテナを介して送出を開始する。
【００５４】
尚、ここで待合せタイマの設定時刻とは、待合せ時刻前（例えば３０分前）の時刻を意味する。
【００５５】
次にローカルビーコンの受信を待つ（Ｓ４０４）。そしてローカルビーコンを受信すると（Ｓ４０４：Ｙｅｓ）、受信した待合せＩＤが図３の待合せ設定で記憶した相手端末１−２の待合せＩＤと一致するか判断する（Ｓ４０５）。相手端末１−２からのローカルビーコンを受信した場合（Ｓ４０４：ＹｅｓかつＳ４０５：Ｙｅｓ）、受信したローカルビーコンの電波強度を測定する（Ｓ４０７）。そして、測定した電波強度から相手端末１−２までの推定距離を算出し、ディスプレイ１０６に相手端末１−２までの推定距離を表示する（Ｓ４０８）。
【００５６】
具体的には、待合せＩＤ検出部１４３はローカル通信制御部１２３を監視し、受信されるローカルビーコンに待合せＩＤを検出すると、当該ローカルビーコンから待合せＩＤを抽出し、端末制御部１０１に渡す。渡された端末制御部１０１は、抽出した待合せＩＤが待合せ設定記憶部１４２に記憶された待合せＩＤと照合するとともに、電波強度監視部１２５から、当該ローカルビーコンの電波強度を読み出して、相手端末１−２までの推定距離を算出する。そして、算出した推定距離を表示制御部１０５に渡すとともに表示を指示する。指示を受けた表示制御部１０５はディスプレイ１０６に推定距離を表示する（例えば“待合せ相手までの距離は約５０ｍ”）。
尚、ローカルビーコンを受信しない場合（Ｓ４０４：Ｎｏ）、または待合せＩＤが一致しない場合（Ｓ４０５：Ｎｏ）は、相手端末１−２が近くに存在していない旨を表示（例えばディスプレイに“相手圏外”を表示）し（Ｓ４０６）、Ｓ４１１に移行する。
【００５７】
具体的には、端末制御部１０１は、ローカル通信制御部１２３からローカルビーコンが、一定時間（例えば５秒）検出されない場合に、表示制御部１０５に対して、“相手圏外”の表示を指示する。指示を受けた表示制御部１０５は、ディスプレイ１０６に“相手圏外”を表示する。
【００５８】
次にＳ４０８で相手端末１−２との推定距離を表示すると、相手端末１−２との推定距離が閾値以下か否か（例えば３ｍ以内）を判断（Ｓ４０９）する。またはユーザによって待合せサポートの停止操作があったか否かを判断する（Ｓ４１１）。
【００５９】
相手との距離が至近であった場合（Ｓ４０９：Ｙｅｓ）、相手端末１−２が至近に存在している旨を表示（例えばディスプレイに“到着しました”を表示）する（Ｓ４１０）。
【００６０】
待合せサポート停止操作があった場合（Ｓ４１１：Ｙｅｓ）、ローカルビーコンの送信を停止し（Ｓ４１２）、設定した待合せＩＤを削除して（Ｓ４１３）、本フローを終了する。
【００６１】
具体的には、端末制御部１０１が、電波強度監視部１２５から渡されたローカルビーコンの推定距離が予め定められた値（３ｍ）以下であった場合、表示制御部１０５に対して、“到着しました”の表示を指示する。指示を受けた表示制御部１０５はディスプレイ１０６に“到着しました”を表示する。キー入力部１０７が操作キー１０８からユーザの待合せサポート停止の操作を検出（例えば、“終話ボタン”を押下）すると、端末制御部１０１は、ローカル通信制御部１２３にローカルビーコンの送信停止の指示し、これを受けたローカル通信制御部１２３はローカルビーコンの送信を停止する。また、端末制御部１０１は、待合せ設定記憶部１４２に待合せＩＤの削除を指示し、指示を受けた待合せ設定記憶部１４２は、当該待合せＩＤを削除する。
【００６２】
以上、音声通話機能を用いた待合せ支援の処理について、説明した。
【００６３】
本実施の形態において、携帯無線端末１−１が待合せ設定が為されると、待合せＩＤを生成し、生成した待合せＩＤを相手端末１−２に対基地局通信を介して通知し、待合せＩＤを共有する。そして、待合せサポートがなされると、相手端末１−２に当該待合せＩＤを含むローカルビーコンを互いに送信し、ローカルビーコンを受信すると受信した旨を表示した。
【００６４】
これにより、携帯無線端末１−１は、待合せＩＤを相手端末１−２に通知するので、予め待合せＩＤを設定しておく必要がない。また、別の通信手段を用いて待合せＩＤを通知するので待合せＩＤをセキュアに通知することができる。
【００６５】
また、本実施の形態において、携帯無線端末１−１は、待合せＩＤの生成方法を、待合せ設定毎に毎回、乱数を用いて生成する方法を説明した。
【００６６】
これにより、さらに待合せＩＤが毎回変更されるので待合せＩＤの秘匿性を高めることができる。
【００６７】
また、本実施の形態において、待合せＩＤをＤＴＭＦ変換し、通話中の音声に重畳する方法を説明した。
【００６８】
これにより、相手端末に通話中の音声で待合せＩＤを通知するので、新たに通信路を設定する必要がなくなるという効果がある。
【００６９】
また、本実施の形態において、携帯無線端末１は、受信したローカルビーコンの電波強度を計測し、計測した電波強度から相手端末１−２との距離を推定しこれを表示する。さらに、推定した相手端末１−２までの距離が予め定められた値以下の場合に、近傍に存在している旨を表示した。
【００７０】
これにより、待合せサポート時、ユーザは相手が近傍に近付いていることがわかる。
【００７１】
尚、通話中に待合せＩＤをＤＴＭＦ変換して通話中の音声に重畳して通知しているが、本願はこれに限定されない。例えば、図３の待合せ設定処理中または通話終了後にメールやショートメール等ほかの通信手段を用いて待合せＩＤを通知してもよい。これによって通話中の通信環境に影響されずに待合せＩＤを相手端末１−２に通知できるという効果がある。
【００７２】
また、待合せ設定信号を受け付けると、相手端末１−２からの待合せの要望があった旨をディスプレイ１０６に表示する方法について説明したが、本願はこれに限定しない。例えば、音声ガイダンス・バイブレータ等の伝達機能を用いてユーザに通知してもよい。
【００７３】
また、乱数を用い、自動で待合せＩＤを生成し、相手にトーン信号で通知しているが、本願はこれに限定されない。たとえば、ユーザが通話中に操作キー（ダイヤルキー）を直接入力して入力されたキーを待合せＩＤとして相手端末１−２に通知してもよいし、自端末の電話番号を待合せＩＤとして利用してもよい。また、既に一度待合せＩＤを設定したことのある相手であれば、待合せＩＤを既に記憶したＩＤを再利用させ、初めての相手には記憶したＩＤ以外の待合せＩＤで生成し、通知してもよい。さらに、待合せＩＤを受信した場合には、これを拒否する応答または、応答しない方法を用いてもよい。これにより乱数によって生成されたＩＤが重複する可能性を回避できるという効果がある。
【００７４】
また、図３の待合せタイマの設定について説明しているが、本願はこれに限定しない。例えば、待合せＩＤを通知後にローカルビーコンの送信を開始してもよい。これにより、相手確認操作やユーザが予め待合せタイマを設定する必要がないという効果がある。
【００７５】
また、図４のＳ４１１で、待合せ終了操作の検出で本サポートを終了しているが、本願はこれに限定しない。例えば、Ｓ４０９の判断において、さらに数十秒間、Ｓ４０４からＳ４１０を繰り返した場合相手と出会ったと判別してもよい。これにより、待合せ終了操作を行う必要がないという効果がある。
【００７６】
また、上記の相手確認操作および待合せ終了操作をなくすことで、ユーザは待合せ開始の操作または待合せ許可操作いずれか一つの操作で待合せ支援をうけることできる。
【００７７】
また、待合せＩＤにメールアドレスではなく、乱数等の自端末で待合せＩＤを生成し、待合せＩＤ開始メール・応答メール送信時にこの待合せＩＤを添付して送信し、受信時に、受信した待合せＩＤと送信元アドレスを携帯無線端末毎に対応付けて記憶することで同様の効果を得られる。
【００７８】
また、本実施例では、１対１における待合せ支援について説明したが、本願はこれに限定されない。当然複数であってもよい。この場合、相手端末１毎に待合せ設定をおこない、記憶するとともに、すべての相手端末に対するローカルビーコンを発信することで実現できる。
【００７９】
また、本実施例では、一般的な無線携帯電話機として説明したが、本願はこれに限定されない。例えばページャや、ＰＤＡ、モバイルＰＣ等、特定の無線通信機能を具備し、携帯できる装置であれば、本発明を適用することができる。
【図面の簡単な説明】
【００８０】
【図１】ローカル通信と通話機能を用いた場合の本携帯無線端末のシステム構成図
【図２】ローカル通信と通話機能を用いた場合の本携帯無線端末のブロック図
【図３】１対１における本携帯無線端末の待合せ設定処理フローチャート
【図４】１対１における本携帯無線端末の待合せサポート動作フローチャート
【符号の説明】
【００８１】
１０１・・・端末制御部、１０２・・・音声入出部、１０３・・・マイク、１０４・・・スピーカ、１０５・・・表示制御部、１０６・・・ディスプレイ、１０７・・・キー入力部、１０８・・・操作キー、１２１・・・無線部、１２２・・・対無線基地局通信制御部、１２３・・・ローカル通信制御部、１２５・・・電波強度監視部、１２４・・・アンテナ、１２５・・・電波強度監視部、１４１・・・待合せＩＤ設定部、１４２・・・待合せ設定
【図１】
0005181833.tif 000002
【図３】
0005181833.tif 000003
【図４】
0005181833.tif 000004
【図２】
0005181833.tif 000005